(57)【要約】【課題】消費電力を増加させずに、室内をより明るくできる照明機能付きの天井扇風装置を提供する。【解決手段】羽根部７は回転によって空気を循環させる羽根９，１０を含んでいる。羽根９，１０は、主光源部５，６から下方へ照射される光を遮らない位置で回転可能に支持され、主光源部５，６から発された光を下方に反射する。羽根９，１０で反射した光は主光源５，６で下方に発された光と同じように室内に照射される。【選択図】図１
2008082277.tif 000002
【特許請求の範囲】
【請求項１】
天井に設置される照明機能付きの天井扇風装置であって、
電流によって発光し、光を下方に照射する主光源部と、
回転によって空気を循環させる羽根を含み、該羽根が前記主光源部から前記下方へ照射される光を遮らない位置で回転可能に支持され、該羽根の少なくとも前記主光源部に向いた面の光の反射率が所定値以上であり、前記主光源部から受けた光を前記羽根の前記主光源部に向いた面で所定の方向に反射する羽根部と、
前記羽根部の前記位置での回転が可能なように前記羽根部を支持する、羽根接続部と、を有する照明機付きの天井扇風装置。
【請求項２】
前記羽根部は、前記羽根が前記主光源部で発された前記光を前記所定の方向に反射する角度に設定されている、請求項１に記載の照明機能付きの天井扇風装置。
【請求項３】
前記羽根部は、前記主光源部で発された前記光を前記所定の方向に反射する位置に停止する、請求項１または２のいずれか１項に記載の照明機能付きの天井扇風装置。
【請求項４】
前記所定の方向は下方向である、請求項１から３のいずれか１項に記載の照明機能付きの天井扇風装置。
【請求項５】
前記照明機能付きの天井扇風装置は、前記主光源とは別に所定色の光を発する副光源部を更に有しており、
前記羽根部は、前記副光源部で発された前記所定色の光を前記所定の方向に反射する、請求項１から４のいずれか１項に記載の照明機能付きの天井扇風装置。
【請求項６】
前記副光源部は、複数の所定色の光を発する、請求項５に記載の照明機能付きの天井扇風装置。
【請求項７】
前記羽根接続部は、
前記主光源部と接続しており、前記所望の強さの電流を流すことにより前記主光源部を発光させる照明部と、
前記羽根部を回転が可能なように支持し、前記羽根部の回転または停止を制御するモータ部と、を有する請求項１から６のいずれか１項に記載の照明機能付きの天井扇風装置。
【発明の詳細な説明】
【技術分野】
【０００１】
本発明は、照明機能を備えた天井扇風装置に関する。
【背景技術】
【０００２】
天井扇風装置は室内の空気を循環させて温度調整を行う。通常、冷暖房機を使用していると、天井に近い空間には暖かい空気が集まり、床に近い空間には冷たい空気が集まる。その結果、室内の天井に近い空間と床に近い空間との間では、温度差が生じることとなる。そのため、室内の温度が一定になるように、天井扇風装置は室内の空気を循環させる。
【０００３】
また、天井扇風装置の中には、所望の明るさで室内を照らすための照明機能を有しているものがある（特許文献１参照）。室内の明るさは照度（単位：ルクス）で表され、照度が高ければ室内は明るい。照度とはある面に単位面積あたり入射する光の量をいう。このような照明機能を備えた天井扇風装置は、室内の空気を循環させるとともに、室内を所望の明るさで照射することができる。
【０００４】
図５は照明機能を備えた天井扇風装置１の模式図である。天井扇風装置１は、羽根３，４、主光源５，６、羽根接続部７、および光源接続部８を有している。
【０００５】
天井扇風装置１は室内の天井２に設置されている。
【０００６】
羽根３，４は、樹脂や木材などの一般的な素材で作られたファンである。羽根３，４は、羽根接続部７によって回転可能に支持されており、羽根接続部７からの動力で軸を中心に回転する。この羽根３，４の回転によって室内の空気が循環する。
【０００７】
主光源５，６は、光源接続部８によって取り外し可能に保持されており、光源接続部８からの電流によって所望の明るさで発光する。主光源５，６は下方に向けられており、主光源５，６の発した光は主に室内に照射される。主光源５，６は、例えば電球や放電灯である。
【０００８】
羽根接続部７は、軸を中心として回転可能なように羽根３，４を支持しており、羽根３，４を電動で回転させることができる。羽根接続部７はユーザの要求に応じて羽根３，４の回転および停止を制御する。また、羽根接続部７は、光源接続部８と接続しており、主光源５，６を所望の明るさで発光させるよう光源接続部８に指示する。
【０００９】
光源接続部８は、主光源５，６を取り外し可能に保持し、主光源５，６の点灯および消灯を行う。また、光源接続部８は主光源５，６の点灯時の照度を調整することができてもよい。また、光源接続部８は、羽根接続部７と接続しており、主光源５，６の点灯および消灯や照度の調整を羽根接続部７からの指示に従って行う。
【特許文献１】特開２００５−１５５５５８号公報
【発明の開示】
【発明が解決しようとする課題】
【００１０】
図５の照明機能を備えた天井扇風装置は、主光源３，４の２つの光源によって室内を照らしている。用途や使用状況によって天井扇風装置の照明に要求される明るさは異なり、室内を明るくしたい場合がある。そのため照明器具一般に対しては明るさを増したいという要望があり、照明機能を備えた天井扇風装置にもそのような要望がある。その要望にたいして光源の数を増やしたり、光源の定格電力を上げたりすれば、消費電力が増えてしまうという問題点があった。
【００１１】
本発明の目的は、消費電力を増加させずに、室内をより明るくできる照明機能を備えた天井扇風装置を提供することにある。
【課題を解決するための手段】
【００１２】
上記目的を達成するために、本発明の照明機能を備えた天井扇風装置は、
天井に設置される照明機能付きの天井扇風装置であって、
電流によって発光し、光を下方に照射する主光源部と、
回転によって空気を循環させる羽根を含み、該羽根が前記主光源部から前記下方へ照射される光を遮らない位置で回転可能に支持され、該羽根の少なくとも前記主光源部に向いた面の光の反射率が所定値以上であり、前記主光源部から受けた光を前記羽根の前記主光源部に向いた面で前記下方に反射する羽根部と、
前記羽根部の前記位置での回転が可能なように前記羽根部を支持する、羽根接続部と、を有している。
【００１３】
本発明によれば、羽根部は回転によって空気を循環させる羽根を含んでいる。羽根は、主光源部から下方へ照射される光を遮らない位置で回転可能に支持され、主光源部から発された光を下方に反射する。羽根で反射した光は主光源で下方に発された光と同じように室内に照射される。そのため、室内はより明るくなる。また、新たに光源を設置していないため、消費電力は増加しない。これにより、消費電力を増加させずに、室内をより明るくできる。
【００１４】
また、前記羽根部は、前記羽根が前記主光源部で発された前記光を前記所定の方向に反射する角度に設定されていることにしてもよい。これによれば、室内はより明るくなる。
【００１５】
また、前記羽根部は、前記主光源部で発された前記光を前記所定の方向に反射する位置に停止することにしてもよい。
【００１６】
これによれば、羽根部の回転を停止したときに、羽根部は主光源部からの光を下方に反射できる位置に停止するため、室内はより明るくなる。
【発明の効果】
【００１７】
本発明によれば、消費電力を増加させずに、室内をより明るくできる。
【発明を実施するための最良の形態】
【００１８】
本発明を実施するための形態について図面を参照して詳細に説明する。
【００１９】
図１は本実施形態の天井扇風装置１の模式図である。天井扇風装置１は、羽根９，１０、主光源５，６、羽根接続部７、および光源接続部８を有している。
【００２０】
羽根９，１０は表面の光の反射率が所定値以上のファンである。例えば羽根９，１０は光の反射率が所定値以上の素材で形成されていてもよい。また他の例として羽根９，１０は、樹脂などの軽量な素材で形成され、表面にメッキが施されたものであってもよい。
【００２１】
なお、本実施形態では羽根９，１０の表面全体の光の反射率を所定値以上とする例を示しているが、本発明はこれに限られない。羽根９，１０は少なくとも主光源５，６の向いた面（以下「下面」という）に光の反射率が所定値以上の部分であればよい。例えば羽根９，１０の下面に鏡を取り付けておくことにしてもよい。また、他の例として羽根９，１０の下面の全体または一部に光の反射率が所定値以上の素材も貼り付けておいてもよい。
【００２２】
羽根９，１０は、主光源５，６から下方へ照射される光を遮らない位置で羽根接続部７によって回転可能に支持されている。羽根９，１０は羽根接続部７からの動力で軸を中心に回転する。この羽根９，１０の回転によって室内の空気が循環する。
【００２３】
羽根９，１０は主光源部５，６から発された光を下方に反射する。また、羽根９，１０は、主光源５，６から発された光を下方向に反射する角度に設定するとともに、回転していないときに主光源５，６から発された光を下方向に反射する位置に停止している。これにより、室内がより明るくなる。
【００２４】
羽根接続部７は、軸を中心として回転可能なように羽根９，１０を支持しており、羽根９，１０を電動で回転させることができる。羽根接続部７はユーザの要求に応じて羽根９，１０の回転および停止を制御する。また、羽根接続部７は、光源接続部８と接続されており、主光源５，６を所望の明るさで発光させるよう光源接続部８に指示する。
【００２５】
図２は、本実施形態のリモートコントローラ（以下「リモコン」という）１１を示す模式図である。天井扇風装置１はリモコン１１を有している。リモコン１１により、羽根９，１０の回転の調整が可能であり、また照明の点灯および消灯または照度の調整が可能である。
【００２６】
リモコン１１には、羽根３，４の回転情報として「ＯＦＦ（無回転）」、「７５ｒｐｍ」、「１５０ｒｐｍ」の設定項目が設けられている。ユーザはその設定項目の中から所望の回転情報を選択する。図２では、「ＯＦＦ」が選択されている。
【００２７】
同様に、リモコン１１には、照明情報として「全光」、「５０％調光」、「ＯＦＦ」の設定項目が設けられている。ユーザはその設定項目の中から所望の照明情報を選択する。図２では、「全光」が選択されている。
【００２８】
リモコン１１はユーザにより選択された情報を制御情報として天井扇風装置１に送信する。
【００２９】
図３は、本実施形態の羽根接続部７のブロック図である。羽根接続部７は、操作部５１、照明部５２、モータ部５３、および制御部５４を有している。
【００３０】
受信部５１はリモコン１１から制御情報を受信する。制御情報を受信すると、受信部５１は制御部５４に送る。
【００３１】
制御部５４は、受信部５１から制御情報を受信すると、制御情報の内容を解析する。解析した結果、制御情報が羽根９，１０の回転に関する制御情報であれば、制御部５４はその制御情報をモータ部５３に送る。解析した結果、制御情報が照明の明るさを制御する制御情報であれば、制御部５４はその制御情報を照明部５２に送る。
【００３２】
照明部５２は光源接続部８と接続している。照明部５２は、制御部５４から照明の明るさを制御する制御情報を受信すると、その制御情報に含まれる明るさで主光源５，６を発光させるよう光源接続部８に指示する。
【００３３】
モータ部５３は、軸を中心として回転可能なように羽根９，１０を支持している。モータ部５３は、制御部５４から羽根９，１０の回転に関する制御情報を受信すると、その制御情報に含まれる回転数で羽根９，１０を回転させる。
【００３４】
図４は、本実施形態の天井扇風装置１の動作を示すフローチャートである。受信部５１はリモコン１１からの制御情報を制御部５４に送る（ステップ４００）。受信部５１から制御情報を受けると、制御部５４は制御情報を解析する（ステップ４０１）。
【００３５】
解析した結果、制御情報が照明の明るさを制御する制御情報であれば、制御部５４は照明部５２にその制御情報を送る（ステップ４０２）。制御部５４から送られた制御情報を受けると、照明部５２はその制御情報の明るさで主光源５，６を発光させるよう光源接続部７に指示する（ステップ４０３）。光源接続部７は照明部５２から指示された明るさで主光源５，６を発光させる（ステップ４０４）。
【００３６】
ステップ３０１の処理で、制御情報が羽根９，１０の回転に関する制御情報であれば、制御部５４はモータ部５３にその制御情報を送る（ステップ４０５）。制御部５４からの制御情報を受信すると、モータ部５３はその制御情報の回転数で羽根９，１０を回転させる（ステップ４０６）。
【００３７】
以上説明したように、本実施形態によれば、羽根接続部７は回転によって空気を循環させる羽根９，１０を含んでいる。羽根９，１０は、主光源５，６から下方へ照射される光を遮らない位置で回転可能に支持され、主光源５，６から発された光を下方に反射する。羽根９，１０で反射した光は主光源５，６で下方に発された光と同じように室内に照射される。そのため、室内はより明るくなる。また、新たな光源を設置していないため、消費電力は増加しない。これにより、消費電力を増加させずに、室内をより明るくできる。
【００３８】
また、羽根９，１０は、回転しながら、主光源５，６から発された光を反射し室内に照射する。これにより、室内を動きのある光で演出できる。
【００３９】
また、本実施形態では羽根９，１０が主光源５，６からの光を反射する例を示したが、本発明はこれに限定されるものではない。他の例として、副光源が設置されていてもよい。この場合、副光源は主光源５，６で発される光の色と異なる色で発するようにする。これにより、主光源と異なる色で室内を照らすことができる。
【００４０】
また、複数の副光源を設置し、それぞれの副光源から発される光の色を変えてもよい。この場合、羽根９，１０は副光源から発された複数の色の光を反射する。これにより、室内をより鮮やかに演出できる。
【００４１】
また、本実施形態ではリモコン１１で羽根９，１０の回転数や照明の明るさを調整する例を示したが、本発明はこれに限定されるものではない。天井扇風装置１と電源スイッチ（不図示）とが有線で接続されていてもよい。その場合、ユーザが電源スイッチで羽根９，１０の回転数や照明の明るさを調整する。そして、電源スイッチは調整された情報を制御情報として有線通信で天井扇風装置１に送る。
【図面の簡単な説明】
【００４２】
【図１】本実施形態の照明の機能を備えた天井扇風装置１の模式図である。
【図２】本実施形態のリモコン１１の模式図である。
【図３】本実施形態の羽根接続部７のブロック図である。
【図４】本実施形態の天井扇風装置１の動作を示すフローチャートである。
【図５】従来の照明の機能を備えた天井扇風装置１の模式図である。
【符号の説明】
【００４３】
１        天井扇風装置
２        天井
３，４    一般的な羽根
５，６    主光源
７        羽根接続部
８        光源接続部
９，１０  鏡の羽根
１１      リモコン
４００〜４０６  ステップ
【図１】
2008082277.tif 000003
【図２】
2008082277.tif 000004
【図３】
2008082277.tif 000005
【図４】
2008082277.tif 000006
【図５】
2008082277.tif 000007